(57)【要約】【課題】表示装置のバックライト用の複数のＬＥＤの電流制御などを連続的に行う場合に、電流変化の分解能を見かけ上向上させて、表示画面のちらつきを防止すること。【解決手段】ＬＥＤ駆動回路１２−１〜１２−ｎは、それぞれ対応するＬＥＤ１１−１〜１１−ｎに各設定電流を流して点灯するように、それらを駆動するようになっている。ＬＥＤ電流変更信号発生回路５は、表示装置の輝度の変更などに応じて入力されるＬＥＤ電流変更信号Ｓｃに基づき、所定の位相差を有する複数のＬＥＤ電流変更信号Ｓ１〜Ｓｎをそれぞれ生成する。ＬＥＤ電流値制御回路６は、ＬＥＤ電流変更信号発生回路５で生成されるＬＥＤ電流変更信号Ｓ１〜Ｓｎが入力されるタイミングごとに、入力される設定電流ＩａをＬＥＤ駆動回路１２−１〜１２−ｎに順次振り分けて設定する。【選択図】図１
2007180388.tif 000002
【特許請求の範囲】
【請求項１】
複数のＬＥＤを点灯するＬＥＤ駆動装置であって、
前記複数のＬＥＤを所望の設定電流で点灯するように各ＬＥＤを駆動する複数のＬＥＤ駆動回路と、
前記複数のＬＥＤ駆動回路の各設定電流の変更指示がある場合に、新たな設定電流を前記複数のＬＥＤ駆動回路に異なるタイミングでそれぞれ設定する制御部と、を備え、
前記新たな設定電流の増減分が同一であることを特徴とするＬＥＤ駆動装置。
【請求項２】
表示装置のバックライト用の複数のＬＥＤを点灯するＬＥＤ駆動装置であって、
前記複数のＬＥＤを所望の設定電流で点灯するように各ＬＥＤを駆動する複数のＬＥＤ駆動回路と、
前記表示装置の輝度の変更指示がある場合に、新たな設定電流を前記複数のＬＥＤ駆動回路に異なるタイミングでそれぞれ設定する制御部と、を備え、
前記新たな設定電流の増減分が同一であることを特徴とするＬＥＤ駆動装置。
【請求項３】
前記制御部は、
ＬＥＤ電流変更信号に基づいて所定の位相差を有する複数のＬＥＤ電流変更信号をそれぞれ生成するＬＥＤ電流変更信号発生回路と、
前記ＬＥＤ電流変更信号発生回路で生成されるＬＥＤ電流変更信号が入力されるたびに、新たな設定電流を前記複数のＬＥＤ駆動回路に順次振り分けるＬＥＤ電流値制御回路と、
を備えることを特徴とする請求項１または請求項２に記載のＬＥＤ駆動装置。
【請求項４】
前記複数のＬＥＤ駆動回路は、設定電流に応じた電圧が設定できるとともに、ＬＥＤに流れる電流に応じた電圧を検出し、この検出電圧が前記設定電圧と一致するようにＬＥＤを点灯させるように構成し、
前記ＬＥＤ電流値制御回路は、
前記複数のＬＥＤ駆動回路の設定電流に対応する複数の設定電圧をそれぞれ生成する設定電圧生成回路と、
前記ＬＥＤ電流変更信号生成回路で生成されるＬＥＤ電流変更信号が入力されるたびに、設定電流に対応する設定電圧を前記設定電圧生成回路が生成する複数の設定電圧のうちから選択し、この選択した設定電圧を前記複数のＬＥＤ駆動回路に順次振り分ける設定電圧出力回路と、
を備えることを特徴とする請求項３に記載のＬＥＤ駆動装置。
【請求項５】
複数のＬＥＤを点灯するＬＥＤ駆動装置であって、
前記複数のＬＥＤを所望の設定電流で点灯するように各ＬＥＤを駆動する複数のＬＥＤ駆動回路と、
前記複数のＬＥＤ駆動回路の各設定電流の変更指示がある場合に、新たな設定電流を前記複数のＬＥＤ駆動回路に同時に設定し、この設定の際には新たな設定電流を時間に対して設定値まで徐々に変化させる制御部と、
を備えることを特徴とするＬＥＤ駆動装置。
【請求項６】
表示装置のバックライト用の複数のＬＥＤを点灯するＬＥＤ駆動装置であって、
前記複数のＬＥＤを所望の設定電流で点灯するように各ＬＥＤを駆動する複数のＬＥＤ駆動回路と、
前記表示装置の輝度の変更指示がある場合に、新たな設定電流を前記複数のＬＥＤ駆動回路に同時に設定し、この設定の際には新たな設定電流を時間に対して設定値まで徐々に変化させる制御部と、
を備えることを特徴とするＬＥＤ駆動装置。
【請求項７】
前記制御部は、
ＬＥＤ電流変更信号が入力されるたびに、新たな設定電流を出力するＬＥＤ電流値制御回路と、
前記ＬＥＤ電流値制御回路が出力する設定電流を前記複数のＬＥＤ駆動回路に同時に設定し、この設定の際には前記設定電流を時間に対して設定値まで徐々に変化させる電流遅延回路と、
を備えることを特徴とする請求項５または請求項６に記載のＬＥＤ駆動装置。
【請求項８】
前記複数のＬＥＤ駆動回路は、設定電流に応じた電圧が設定できるとともに、ＬＥＤに流れる電流に応じた電圧を検出し、この検出電圧が前記設定電圧と一致するようにＬＥＤを点灯させるように構成し、
前記ＬＥＤ電流値制御回路は、
前記複数のＬＥＤ駆動回路の設定電流に対応する複数の設定電圧をそれぞれ生成する設定電圧生成回路と、
前記ＬＥＤ電流変更信号が入力されるたびに、設定電流に対応する設定電圧を前記設定電圧生成回路の生成する複数の設定電圧のうちから選択し、この選択した設定電圧を出力する設定電圧出力回路と、を備え、
前記電流遅延回路は、前記設定電圧選択回路から出力される設定電圧を時間に対して設定値まで徐々に変化させて前記複数のＬＥＤ駆動回路に同時に供給するように構成することを特徴とする請求項７に記載のＬＥＤ駆動装置。
【請求項９】
複数のＬＥＤを点灯するＬＥＤ駆動装置であって、
前記複数のＬＥＤを所望の設定電流で点灯するように各ＬＥＤを駆動する複数のＬＥＤ駆動回路と、
前記複数のＬＥＤ駆動回路の各設定電流の変更指示がある場合に、新たな設定電流を異なるタイミングでそれぞれ出力する制御部と、
前記制御部から出力される新たな設定電流を前記複数のＬＥＤ駆動回路にそれぞれ設定し、この設定の際には前記変更に係る各設定電流を時間に対して設定値まで徐々に変化させる複数の電流遅延回路と、を備え、
前記新たな設定電流の増減分が同一であることを特徴とするＬＥＤ駆動装置。
【請求項１０】
表示装置のバックライト用の複数のＬＥＤを点灯するＬＥＤ駆動装置であって、
前記複数のＬＥＤを所望の設定電流で点灯するようにその各ＬＥＤを駆動する複数のＬＥＤ駆動回路と、
前記表示装置の輝度に変更がある場合に、新たな設定電流を異なるタイミングでそれぞれ出力する制御部と、
前記制御部から出力される新たな設定電流を前記複数のＬＥＤ駆動回路にそれぞれ設定し、この設定の際には前記変更に係る各設定電流を時間に対して設定値まで徐々に変化させる複数の電流遅延回路と、を備え、
前記新たな設定電流の増減分が同一であることを特徴とするＬＥＤ駆動装置。
【請求項１１】
前記制御部は、
ＬＥＤ電流変更信号に基づいて所定の位相差を有する複数のＬＥＤ電流変更信号をそれぞれ生成するＬＥＤ電流変更信号発生回路と、
前記ＬＥＤ電流変更信号発生回路で生成されるＬＥＤ電流変更信号が入力されるたびに、新たな設定電流値を前記複数の電流遅延回路に順次振り分けるＬＥＤ電流値制御回路と、
を備えることを特徴とする請求項９または請求項１０に記載のＬＥＤ駆動装置。
【請求項１２】
前記複数のＬＥＤ駆動回路は、設定電流に応じた電圧が設定できるとともに、ＬＥＤに流れる電流に応じた電圧を検出し、この検出電圧が前記設定電圧と一致するようにＬＥＤを点灯させるように構成し、
前記ＬＥＤ電流値制御回路は、
前記複数のＬＥＤ駆動回路の設定電流に対応する複数の設定電圧をそれぞれ生成する設定電圧生成回路と、
前記ＬＥＤ電流変更信号生成回路で生成されるＬＥＤ電流変更信号が入力されるたびに、設定電流に対応する設定電圧を前記設定電圧生成回路の生成する複数の設定電圧のうちから選択し、この選択した設定電圧を前記複数の電流遅延回路に順次振り分ける設定電圧出力回路と、を備え、
前記複数の電流遅延回路は、前記設定電圧選択回路で振り分けられた設定電圧を時間に対して設定値まで徐々に変化させて前記複数のＬＥＤ駆動回路にそれぞれ供給するように構成することを特徴とする請求項１１に記載のＬＥＤ駆動装置。
【発明の詳細な説明】
【技術分野】
【０００１】
本発明は、液晶表示装置などのバックライト光源などに使用されるＬＥＤ（Light Emitting Diode) を駆動するＬＥＤ駆動装置に関するものである。
【背景技術】
【０００２】
近年、液晶表示装置などのバックライト光源として白色ＬＥＤが使用され、このＬＥＤは順方向電圧が大きいので、２次電池などの直流電源の電圧が低い場合にはチャージポンプ回路などの昇圧回路が必要となる。
このため、従来のＬＥＤ駆動装置では、ＬＥＤを点灯するために、電池の電圧と、その電池で動作するチャージポンプ回路の昇圧電圧とを、選択的に切り換えて使用するようにしている（例えば、特許文献１参照）。
【０００３】
ところで、この種のＬＥＤ駆動装置において、液晶表示装置の輝度の調整を行う場合には、ＬＥＤの電流値を連続的（動的）に変化させる必要がある。
そこで、液晶表示装置のバックライト用の複数のＬＥＤを点灯するＬＥＤ駆動装置であって、その複数のＬＥＤの電流値を連続的に変化させるＬＥＤ駆動装置としては、図１０に示すようなものが考えられる。
【０００４】
このＬＥＤ駆動装置は、図１０に示すように、ＬＥＤ駆動部１と、ＬＥＤ印加電圧発生部２と、ＬＥＤ電流値制御回路３とを備え、これらは２次電池などの直流電源４により動作するようになっている。
ＬＥＤ駆動部１は、図示のように、ｎ個からなるＬＥＤ１１−１〜１１−ｎと、ｎ個からなるＬＥＤ駆動回路１２−１〜１２−ｎと、を備えている。
【０００５】
ＬＥＤ駆動回路１２−１〜１２−ｎは、それぞれ対応するＬＥＤ１１−１〜１１−ｎに各設定電流を流して点灯するように、それらを駆動するようになっている。
ＬＥＤ印加電圧発生部２は、チャージポンプ回路２１と、このチャージポンプ回路２１に並列に接続されるスイッチ２２と、電圧判定回路２３と、を備えている。
電圧判定回路２３は、直流電源４の電圧を検出してこの検出電圧を基準値と比較し、この比較結果に応じてチャージポンプ回路２１およびスイッチ２２を制御するようになっている。
【０００６】
すなわち、その検出電圧が基準値以上の場合には、チャージポンプ回路２１の昇圧動作を停止させ、これと同時にスイッチ２２を閉じた状態にする。このため、直流電源４の電圧がＬＥＤ印加電圧発生部２の出力電圧となる。
一方、その検出電圧が基準値以下の場合には、チャージポンプ回路２１の昇圧動作を指示し、これと同時にスイッチ２２を開いた状態にする。このため、チャージポンプ回路２１の昇圧電圧がＬＥＤ印加電圧発生部２の出力電圧となる。
【０００７】
ＬＥＤ電流値制御回路３は、ＬＥＤ電流変更信号Ｓｃが入力されるたびに、ＬＥＤ駆動回路１２−１〜１２−ｎに設定すべき設定電流Ｉａが出力され、これがＬＥＤ駆動回路１２−１〜１２−ｎに同時に設定されるようになっている。
次に、このような構成からなるＬＥＤ駆動装置の動作例について、図１０および図１１を参照して説明する。
【０００８】
ＬＥＤ電流値制御回路３に入力されるＬＥＤ電流変更信号Ｓｃが、図１１（Ａ）に示すようなタイミングで入力されたとすると、ＬＥＤ電流値制御回路３に入力されているＬＥＤ駆動回路１２−１〜１２−ｎの設定電流Ｉａがその各タイミングで出力され、これがＬＥＤ駆動回路１２−１〜１２−ｎに同時に設定される。
例えば、時刻ｔ１以前において、ＬＥＤ駆動回路１２−１〜１２−ｎに設定電流としてＩ０が設定されている場合には、図１１（Ｂ）に示すようにＬＥＤ１１−１〜１１−ｎにはその設定電流Ｉ０がそれぞれ流れる。このとき、ＬＥＤ１１−１〜１１−ｎに流れる全体のＬＥＤ電流Ｉout は（Ｉ０×ｎ）となり、例えば図１１（Ｃ）に示すようになる。
【０００９】
その後、図１１（Ａ）に示すように、時刻ｔ１においてＬＥＤ電流変更信号Ｓｃが入力されると、このタイミングでＬＥＤ駆動回路１２−１〜１２−ｎの設定電流がＩ０からＩ１に変更され、これがＬＥＤ駆動回路１２−１〜１２−ｎに同時に設定される。
このため、ＬＥＤ１１−１〜１１−ｎに流れる各電流はＩ０からＩ１に変化し、この変化は図１１（Ｂ）に示すようになる。このときのＬＥＤ１１−１〜１１−ｎの電流の変化量ΔＩは、次の（１）式のようになる。
ΔＩ＝Ｉ１−Ｉ０・・・（１）
従って、ＬＥＤ電流値制御回路３の電流設定の最小分解能はΔＩとなる。
【００１０】
また、ＬＥＤ１１−１〜１１−ｎに流れる各電流がＩ０からＩ１に変化すると、ＬＥＤ１１−１〜１１−ｎに流れる全体のＬＥＤ電流Ｉout は（Ｉ０×ｎ）から（Ｉ１×ｎ）に変化し、この変化は図１１（Ｃ）に示すようになる。このときのＬＥＤ１１−１〜１１−ｎの全体のＬＥＤ電流Ｉout の変化量ΔＩout は、次の（２）式のようになる。
ΔＩout ＝（Ｉ１×ｎ）−（Ｉ０×ｎ）＝ｎ×（Ｉ１−Ｉ０）＝ｎ×ΔＩ・・・（２）
従って、全体のＬＥＤ電流Ｉout が（Ｉ０×ｎ）から（Ｉ１×ｎ）に変化する場合に、その変化率ｘは、（２）を使用すると、次の（３）式となる。
ｘ＝（ΔＩout ）／（ｎ×Ｉ１）＝（ｎ×ΔＩ）／（ｎ×Ｉ１）＝ΔＩ・・・（３）
このような動作をする場合には、その変化率ｘが１〔％〕〜２〔％〕を超えると、表示装置の表示画面上ではちらつきを感じる可能性がある。
【００１１】
このちらつきを抑えるためには、（３）式および（１）式からわかるように、最小分解能ΔＩを小さくする必要がある。すなわち、ＬＥＤ電流変更信号Ｓ１が入力されるタイミングで生成される設定電流の間隔をできるだけ小さくして、ＬＥＤの発光量を少しずつ変化させる必要がある。
しかし、この場合には、ＬＥＤ電流値制御回路３の製作コストが嵩むという不具合が考えられる。
【特許文献１】特開２００３−１５８２９９号公報
【発明の開示】
【発明が解決しようとする課題】
【００１２】
本発明の目的は、上記の点に鑑み、表示装置のバックライト用の複数のＬＥＤの電流制御などを連続的に行う場合に、電流変化の分解能を見かけ上向上させて、表示画面のちらつきを防止できるようにしたＬＥＤ駆動装置を提供することにある。
【課題を解決するための手段】
【００１３】
上記の課題を解決し本発明の目的を達成するために、各発明は、以下のような構成からなる。
すなわち、第１の発明は、複数のＬＥＤを点灯するＬＥＤ駆動装置であって、前記複数のＬＥＤを所望の設定電流で点灯するように各ＬＥＤを駆動する複数のＬＥＤ駆動回路と、前記複数のＬＥＤ駆動回路の各設定電流の変更指示がある場合に、新たな設定電流を前記複数のＬＥＤ駆動回路に異なるタイミングでそれぞれ設定する制御部と、を備え、前記新たな設定電流の増減分が同一であることを特徴とする。
【００１４】
第２の発明は、表示装置のバックライト用の複数のＬＥＤを点灯するＬＥＤ駆動装置であって、前記複数のＬＥＤを所望の設定電流で点灯するように各ＬＥＤを駆動する複数のＬＥＤ駆動回路と、前記表示装置の輝度の変更指示がある場合に、新たな設定電流を前記複数のＬＥＤ駆動回路に異なるタイミングでそれぞれ設定する制御部と、を備え、前記新たな設定電流の増減分が同一であることを特徴とする。
【００１５】
第３の発明は、第１または第２の発明において、前記制御部は、ＬＥＤ電流変更信号に基づいて所定の位相差を有する複数のＬＥＤ電流変更信号をそれぞれ生成するＬＥＤ電流変更信号発生回路と、前記ＬＥＤ電流変更信号発生回路で生成されるＬＥＤ電流変更信号が入力されるたびに、新たな設定電流を前記複数のＬＥＤ駆動回路に順次振り分けるＬＥＤ電流値制御回路と、を備えている。
【００１６】
第４の発明は、第３の発明において、前記複数のＬＥＤ駆動回路は、設定電流に応じた電圧が設定できるとともに、ＬＥＤに流れる電流に応じた電圧を検出し、この検出電圧が前記設定電圧と一致するようにＬＥＤを点灯させるように構成し、前記ＬＥＤ電流値制御回路は、前記複数のＬＥＤ駆動回路の設定電流に対応する複数の設定電圧をそれぞれ生成する設定電圧生成回路と、前記ＬＥＤ電流変更信号生成回路で生成されるＬＥＤ電流変更信号が入力されるたびに、設定電流に対応する設定電圧を前記設定電圧生成回路が生成する複数の設定電圧のうちから選択し、この選択した設定電圧を前記複数のＬＥＤ駆動回路に順次振り分ける設定電圧出力回路と、を備えている。
【００１７】
第５の発明は、複数のＬＥＤを点灯するＬＥＤ駆動装置であって、前記複数のＬＥＤを所望の設定電流で点灯するように各ＬＥＤを駆動する複数のＬＥＤ駆動回路と、前記複数のＬＥＤ駆動回路の各設定電流の変更指示がある場合に、新たな設定電流を前記複数のＬＥＤ駆動回路に同時に設定し、この設定の際には新たな設定電流を時間に対して設定値まで徐々に変化させる制御部と、を備えている。
【００１８】
第６の発明は、表示装置のバックライト用の複数のＬＥＤを点灯するＬＥＤ駆動装置であって、前記複数のＬＥＤを所望の設定電流で点灯するように各ＬＥＤを駆動する複数のＬＥＤ駆動回路と、前記表示装置の輝度の変更指示がある場合に、新たな設定電流を前記複数のＬＥＤ駆動回路に同時に設定し、この設定の際には新たな設定電流を時間に対して設定値まで徐々に変化させる制御部と、を備えている。
【００１９】
第７の発明は、第５または第６の発明において、前記制御部は、ＬＥＤ電流変更信号が入力されるたびに、新たな設定電流を出力するＬＥＤ電流値制御回路と、前記ＬＥＤ電流値制御回路が出力する設定電流を前記複数のＬＥＤ駆動回路に同時に設定し、この設定の際には前記設定電流を時間に対して設定値まで徐々に変化させる電流遅延回路と、を備えている。
【００２０】
第８の発明は、第７の発明において、前記複数のＬＥＤ駆動回路は、設定電流に応じた電圧が設定できるとともに、ＬＥＤに流れる電流に応じた電圧を検出し、この検出電圧が前記設定電圧と一致するようにＬＥＤを点灯させるように構成し、前記ＬＥＤ電流値制御回路は、前記複数のＬＥＤ駆動回路の設定電流に対応する複数の設定電圧をそれぞれ生成する設定電圧生成回路と、前記ＬＥＤ電流変更信号が入力されるたびに、設定電流に対応する設定電圧を前記設定電圧生成回路の生成する複数の設定電圧のうちから選択し、この選択した設定電圧を出力する設定電圧出力回路と、を備え、前記電流遅延回路は、前記設定電圧選択回路から出力される設定電圧を時間に対して設定値まで徐々に変化させて前記複数のＬＥＤ駆動回路に同時に供給するように構成する。
【００２１】
第９の発明は、複数のＬＥＤを点灯するＬＥＤ駆動装置であって、前記複数のＬＥＤを所望の設定電流で点灯するように各ＬＥＤを駆動する複数のＬＥＤ駆動回路と、前記複数のＬＥＤ駆動回路の各設定電流の変更指示がある場合に、新たな設定電流を異なるタイミングでそれぞれ出力する制御部と、前記制御部から出力される新たな設定電流を前記複数のＬＥＤ駆動回路にそれぞれ設定し、この設定の際には前記変更に係る各設定電流を時間に対して設定値まで徐々に変化させる複数の電流遅延回路と、を備え、前記新たな設定電流の増減分が同一であることを特徴とする。
【００２２】
第１０の発明は、表示装置のバックライト用の複数のＬＥＤを点灯するＬＥＤ駆動装置であって、前記複数のＬＥＤを所望の設定電流で点灯するようにその各ＬＥＤを駆動する複数のＬＥＤ駆動回路と、前記表示装置の輝度に変更がある場合に、新たな設定電流を異なるタイミングでそれぞれ出力する制御部と、前記制御部から出力される新たな設定電流を前記複数のＬＥＤ駆動回路にそれぞれ設定し、この設定の際には前記変更に係る各設定電流を時間に対して設定値まで徐々に変化させる複数の電流遅延回路と、を備え、前記新たな設定電流の増減分が同一であることを特徴とする。
【００２３】
第１１の発明は、第９または第１０の発明において、前記制御部は、ＬＥＤ電流変更信号に基づいて所定の位相差を有する複数のＬＥＤ電流変更信号をそれぞれ生成するＬＥＤ電流変更信号発生回路と、前記ＬＥＤ電流変更信号発生回路で生成されるＬＥＤ電流変更信号が入力されるたびに、新たな設定電流値を前記複数の電流遅延回路に順次振り分けるＬＥＤ電流値制御回路と、を備えている。
【００２４】
第１２の発明は、第１１の発明において、前記複数のＬＥＤ駆動回路は、設定電流に応じた電圧が設定できるとともに、ＬＥＤに流れる電流に応じた電圧を検出し、この検出電圧が前記設定電圧と一致するようにＬＥＤを点灯させるように構成し、前記ＬＥＤ電流値制御回路は、前記複数のＬＥＤ駆動回路の設定電流に対応する複数の設定電圧をそれぞれ生成する設定電圧生成回路と、前記ＬＥＤ電流変更信号生成回路で生成されるＬＥＤ電流変更信号が入力されるたびに、設定電流に対応する設定電圧を前記設定電圧生成回路の生成する複数の設定電圧のうちから選択し、この選択した設定電圧を前記複数の電流遅延回路に順次振り分ける設定電圧出力回路と、を備え、前記複数の電流遅延回路は、前記設定電圧選択回路で振り分けられた設定電圧を時間に対して設定値まで徐々に変化させて前記複数のＬＥＤ駆動回路にそれぞれ供給するように構成する。
【００２５】
このような構成からなる本発明によれば、複数のＬＥＤの電流制御を連続的に行う場合に、電流変化の分解能を見かけ上向上させて、ＬＥＤの点灯変化のちらつきを防止することができる。
また、本発明を液晶表示装置などのバックライトに適用した場合には、表示画面のちらつきを防止することができる。
【発明を実施するための最良の形態】
【００２６】
以下、本発明の実施形態について、図面を参照して説明する。
（第１実施形態）
本発明のＬＥＤ駆動装置の第１実施形態の構成について、図１のブロック図を参照して説明する。
この第１実施形態に係るＬＥＤ駆動装置は、液晶表示装置のバックライトなどに使用されるＬＥＤを駆動するものであり、図１に示すように、ＬＥＤ駆動部１と、ＬＥＤ印加電圧発生部２と、ＬＥＤ電流変更信号発生回路５と、ＬＥＤ電流値制御回路６とを備え、これらは２次電池などの直流電源４により動作するようになっている。
【００２７】
また、この第１実施形態では、ＬＥＤ駆動部１のＬＥＤ駆動回路１２−１〜１２−ｎに対してＬＥＤ１１−１〜１１−ｎに流す電流をそれぞれ設定でき、その設定電流はＬＥＤ駆動回路１２−１〜１２−ｎに異なるタイミングでそれぞれ設定するようになっている。そして、その設定電流を変更するときの電流の変化分（変化量）、すなわち設定電流の増減分（増減量）は同一であることを特徴としている。
【００２８】
ＬＥＤ駆動部１は、図示のように、ｎ個からなるＬＥＤ１１−１〜１１−ｎと、ｎ個からなるＬＥＤ駆動回路１２−１〜１２−ｎと、を備えている。
ＬＥＤ駆動回路１２−１〜１２−ｎは、それぞれ対応するＬＥＤ１１−１〜１１−ｎに各設定電流を流して点灯するように、それらを駆動するようになっている。
ＬＥＤ印加電圧発生部２は、チャージポンプ回路２１と、このチャージポンプ回路２１に並列に接続されるスイッチ２２と、電圧判定回路２３と、を備えている。
【００２９】
電圧判定回路２３は、直流電源４の電圧を検出してこの検出電圧を基準値と比較し、この比較結果に応じてチャージポンプ回路２１およびスイッチ２２を制御するようになっている。この制御については後述する。
ＬＥＤ電流変更信号発生回路５は、表示装置の輝度の変更などに応じて入力されるＬＥＤ電流変更信号Ｓｃに基づき、図２（Ａ）〜（Ｃ）に示すような所定の位相差を有する複数のＬＥＤ電流変更信号Ｓ１〜Ｓｎをそれぞれ生成し、これをＬＥＤ電流値制御回路６に供給するようになっている。
【００３０】
すなわち、ＬＥＤ電流変更信号発生回路５は、ＬＥＤ電流変更信号Ｓｃが入力されると、まず図２（Ａ）に示すようにＬＥＤ電流変更信号Ｓ１を生成して出力し、次に図２（Ｂ）に示すようにＬＥＤ電流変更信号Ｓ２を生成して出力し、というように、それぞれ位相差が異なる複数のＬＥＤ電流変更信号Ｓ１〜Ｓｎを生成して出力する。
ＬＥＤ電流値制御回路６は、ＬＥＤ電流変更信号発生回路５で生成されるＬＥＤ電流変更信号Ｓ１〜Ｓｎが入力されるタイミングごとに、入力される設定電流ＩａをＬＥＤ駆動回路１２−１〜１２−ｎに順次振り分けて設定するようになっている。
【００３１】
すなわち、ＬＥＤ電流値制御回路６は、ＬＥＤ電流変更信号Ｓ１が入力されるときには設定電流ＩａをＬＥＤ駆動回路１２−１に出力して設定し、ＬＥＤ電流変更信号Ｓ２が入力されるときには設定電流ＩａをＬＥＤ駆動回路１２−２に出力して設定し、というように、設定電流Ｉａを異なるタイミングでＬＥＤ駆動回路１２−１〜１２−ｎに順次振り分けていく。
【００３２】
次に、このような構成からなる第１実施形態の動作について、図１および図２を参照して説明する。
電圧判定回路２３は、直流電源４の電圧を検出してこの検出電圧を基準値と比較し、その検出電圧が基準値以上の場合には、チャージポンプ回路２１の昇圧動作を停止させ、これと同時にスイッチ２２を閉じた状態にする。このため、直流電源４の電圧がＬＥＤ印加電圧発生部２の出力電圧となる。
【００３３】
一方、電圧判定回路２３は、その検出電圧が基準値以下の場合には、チャージポンプ回路２１の昇圧動作を指示し、これと同時にスイッチ２２を開いた状態にする。このため、チャージポンプ回路２１の昇圧電圧がＬＥＤ印加電圧発生部２の出力電圧となる。
ＬＥＤ電流変更信号発生回路５は、ＬＥＤ電流変更信号Ｓｃが入力されると、まず図２（Ａ）に示すようなＬＥＤ電流変更信号Ｓ１を生成して出力し、次に図２（Ｂ）に示すようなＬＥＤ電流変更信号Ｓ２を生成して出力し、というように、位相差がそれぞれ異なるＬＥＤ電流変更信号Ｓ１〜Ｓｎを順次生成して出力する。
【００３４】
ＬＥＤ電流値制御回路６は、ＬＥＤ電流変更信号発生回路５で生成されるＬＥＤ電流変更信号Ｓ１〜Ｓｎが入力されるタイミングごとに、設定電流ＩａをＬＥＤ駆動回路１２−１〜１２−ｎに順次振り分けるようになっている。
すなわち、ＬＥＤ電流値制御回路６は、ＬＥＤ電流変更信号Ｓ１が入力されるときには、新たな設定電流ＩａをＬＥＤ駆動回路１２−１に出力して設定し、ＬＥＤ電流変更信号Ｓ２が入力されるときにはその同じ設定電流ＩａをＬＥＤ駆動回路１２−２に出力して設定し、というように、入力される同じ値の設定電流Ｉａを異なるタイミングでＬＥＤ駆動回路１２−１〜１２−ｎに順次振り分けながら設定（変更）していく。
【００３５】
このため、ＬＥＤ駆動回路１２−１〜１２−ｎにそれぞれ設定される設定電流Ｉａは、前回の設定値から今回の設定値に変更され、ＬＥＤ駆動回路１２−１〜１２−ｎは、その今回の設定値の設定電流がＬＥＤ１１−１〜１１−ｎに流れるように、ＬＥＤ１１−１〜１１−ｎを駆動させる。
この結果、ＬＥＤ１１−１〜１１−ｎに流れる電流は、その順次設定される設定電流に応じて順次変化し、その一例を示すと、図２（Ｄ）〜（Ｆ）に示すようになる。
【００３６】
図２（Ｄ）〜（Ｆ）からわかるように、設定電流Ｉａの変化があると、ＬＥＤ１１−１〜１１−ｎの各電流が異なるタイミングで変化するが、その設定電流Ｉａの変更ごとのＬＥＤ１１−１〜１１−ｎの各電流の変化量ΔＩは同一である。
すなわち、ＬＥＤ駆動回路１２−１〜１２−ｎにそれぞれ設定される設定電流Ｉａの変化量は、同一である。
【００３７】
このように、ＬＥＤ１１−１〜１１−ｎに流れる各電流が変化すると、これに応じてＬＥＤ１１−１〜１１−ｎに流れる全体のＬＥＤ電流Ｉout も変化し、この変化は図２（Ｇ）に示すようになる。
以上のように、この第１実施例では、ＬＥＤ１１−１〜１１−ｎの点灯電流を変化させる際に、同じ変化量であるが、その変化を異なるタイミングで順に行うようにしたので、電流変化の分解能を見かけ上向上させて、ＬＥＤの点灯変化のちらつきを防止することができる。
【００３８】
このため、この第１実施形態を液晶表示装置のバックライトとして適用する場合には、表示画面のちらつきを防止できる。
次に、上述したＬＥＤ電流値制御回路６、およびＬＥＤ駆動回路１２−１〜１２−ｎの具体的な構成について、図３を参照して説明する。
ＬＥＤ電流値制御回路６は、図３に示すように、ＬＥＤ電流設定用基準電圧源６１と、電圧ホロワ回路６２と、複数のタップを有するタップ付き抵抗器６３と、ＬＥＤ電流設定用電圧選択回路６４と、を備えている。
【００３９】
ＬＥＤ電流設定用基準電圧源６１の基準電圧は、電圧ホロワ回路６２を介してタップ付き抵抗器６３の一端側に印加されるようになっている。タップ付き抵抗器６３の他端側は接地されている。また、タップ付き抵抗器６３の各タップ電圧は、ＬＥＤ電流設定用電圧選択回路６４に入力されるようになっている。
ＬＥＤ電流設定用電圧選択回路６４は、ＬＥＤ電流変更信号Ｓ１〜Ｓｎが入力されるたびに、ＬＥＤ駆動回路１２−１〜１２−ｎに設定すべき設定電流Ｉａの大きさに応じた電圧を、タップ付き抵抗器６３のタップ電圧のうちから選択し、この選択したタップ電圧を設定電圧としてＬＥＤ駆動回路１２−１〜１２−ｎに順次設定するようになっている。
【００４０】
ＬＥＤ駆動回路１２−１〜１２−ｎは、図３に示すように、それぞれ、ＭＯＳトランジスタＱ１、電流検出抵抗Ｒ１、および差動増幅回路Ａ１から構成される。
このような構成からなるＬＥＤ駆動回路１２−１〜１２−ｎでは、それぞれ、ＬＥＤ１１−１〜１１−ｎに流れる電流が設定電流値になるように、差動増幅回路Ａ１がフィードバック制御をおこなう。すなわち、差動増幅回路Ａ１は、電流検出抵抗Ｒ１に流れる電流による検出電圧が設定電流値に対応する設定電圧値になるように、ＭＯＳトランジスタＱ１のゲート電圧を制御する。
（第２実施形態）
本発明のＬＥＤ駆動装置の第２実施形態の構成について、図４のブロック図を参照して説明する。
【００４１】
この第２実施形態に係るＬＥＤ駆動装置は、液晶表示装置のバックライトなどに使用されるＬＥＤを駆動するものであり、図４に示すように、ＬＥＤ駆動部１と、ＬＥＤ印加電圧発生部２と、ＬＥＤ電流値制御回路６Ａと、電流遅延回路７とを備え、これらは２次電池などの直流電源４により動作するようになっている。
また、この第２実施形態では、ＬＥＤ駆動部１のＬＥＤ駆動回路１２−１〜１２−ｎに対してＬＥＤ１１−１〜１１−ｎに流す電流をそれぞれ設定でき、その設定電流はＬＥＤ駆動回路１２−１〜１２−ｎに同一のタイミングで設定するようになっている。そして、その設定の際には、設定電流を時間に対して設定値まで徐々に変化させるようにしたことを特徴とする。
【００４２】
さらに、この第２実施形態では、その設定電流を変更するときの電流の変化分（変化量）、すなわち設定電流の増減分（増減量）は同一であることを特徴としている。
ＬＥＤ駆動部１およびＬＥＤ印加電圧発生部２の構成は、図１に示すＬＥＤ駆動部１およびＬＥＤ印加電圧発生部２の構成と同様であるので、同一要素には同一符号を付してその説明は省略する。
【００４３】
ＬＥＤ電流値制御回路６Ａは、表示装置の輝度の変更などに応じて生成されるＬＥＤ電流変更信号Ｓｃが入力されるたびに、入力される新たな設定電流をＩａを出力し、これを電流遅延回路７に供給するようになっている。
電流遅延回路７は、ＬＥＤ電流値制御回路６Ａから出力される設定電流を、ＬＥＤ駆動回路１２−１〜１２−ｎに同時に設定するが、この設定の際には、その設定電流を時間に対して徐々に変化させて設定値とさせるようになっている。
【００４４】
次に、このような構成からなる第２実施形態の動作について、図４および図５を参照して説明する。
電圧判定回路２３は、直流電源４の電圧を検出してこの検出電圧を基準値と比較し、その検出電圧が基準値以上の場合には、チャージポンプ回路２１の昇圧動作を停止させ、これと同時にスイッチ２２を閉じた状態にする。このため、直流電源４の電圧がＬＥＤ印加電圧発生部２の出力電圧となる。
【００４５】
一方、電圧判定回路２３は、その検出電圧が基準値以下の場合には、チャージポンプ回路２１の昇圧動作を指示し、これと同時にスイッチ２２を開いた状態にする。このため、チャージポンプ回路２１の昇圧電圧がＬＥＤ印加電圧発生部２の出力電圧となる。
ＬＥＤ電流値制御回路６Ａは、図５（Ａ）に示すようなＬＥＤ電流変更信号Ｓｃが入力されるたびに、変更された新たな設定電流Ｉａを出力し、これが電流遅延回路７に対して供給される。
【００４６】
電流遅延回路７は、ＬＥＤ電流値制御回路６Ａから出力される設定電流を、ＬＥＤ駆動回路１２−１〜１２−ｎに同時に設定するが、この設定の際には、その設定電流を時間に対して徐々に変化させて最終的な設定値とさせる。
このため、ＬＥＤ駆動回路１２−１〜１２−ｎには、設定電流として同じ電流値が同時に設定されるが、この設定の際に、その設定電流は、電流遅延回路７によって徐々に変化する波形となる。
【００４７】
このため、ＬＥＤ１１−１〜１１−ｎに流れる各電流は、その電流遅延回路７から出力される設定電流の波形に応じた電流となり、その各電流の一例を示すと、図５（Ｂ）に示すようになる。
図５（Ｂ）からわかるように、設定電流Ｉａの変化があると、ＬＥＤ１１−１〜１１−ｎの各電流が同じ異なるタイミングで変化するが、その設定電流Ｉａの変更ごとのＬＥＤ１１−１〜１１−ｎの各電流の変化量ΔＩは同一である。すなわち、ＬＥＤ駆動回路１２−１〜１２−ｎにそれぞれ設定される設定電流Ｉａの変化量は、同一である。
【００４８】
このように、ＬＥＤ１１−１〜１１−ｎに流れる各電流が変化すると、ＬＥＤ１１−１〜１１−ｎに流れる全体のＬＥＤ電流Ｉout も変化し、この変化は図５（Ｃ）に示すようになる。
ここで、ＬＥＤ１１−１〜１１−ｎに流れる全電流を図５（Ｄ）に示す曲線ａのようにすることも可能であるが、この場合には変化時間に対して変化電流を正確に制御することは難しい上に、その製作コストも嵩んでしまう欠点がある。
【００４９】
以上のように、この第２実施例では、ＬＥＤ１１−１〜１１−ｎの点灯電流を変化させる際に、同時に変化させるが、その各変化を時間に対して徐々に設定値まで変化させるようにしたので、その点灯変化によるちらつきを防止できる。
このため、この第２実施形態を液晶表示装置のバックライトとして適用する場合には、表示画面のちらつきを防止できる。
【００５０】
次に、上述したＬＥＤ電流値制御回路６Ａ、およびＬＥＤ駆動回路１２−１〜１２−ｎの具体的な構成について、図６を参照して説明する。
ＬＥＤ電流値制御回路６Ａは、図６に示すように、ＬＥＤ電流設定用基準電圧源６１と、電圧ホロワ回路６２と、複数のタップを有するタップ付き抵抗器６３と、ＬＥＤ電流設定用電圧選択回路６５と、を備えている。
【００５１】
ＬＥＤ電流設定用基準電圧源６１の基準電圧は、電圧ホロワ回路６２を介してタップ付き抵抗器６３に印加されるようになっている。タップ付き抵抗器６３の各タップ電圧は、ＬＥＤ電流設定用電圧選択回路６５に入力されるようになっている。
ＬＥＤ電流設定用電圧選択回路６５は、ＬＥＤ電流変更信号Ｓｃが入力されるたびに、ＬＥＤ駆動回路１２−１〜１２−ｎに設定すべき設定電流値Ｉａに応じた電圧を、タップ付き抵抗器６３のタップ電圧のうちから選択し、この選択したタップ電圧を設定電圧として電流遅延回路７に供給するようになっている。
【００５２】
ＬＥＤ駆動回路１２−１〜１２−ｎは、図３に示すＬＥＤ駆動回路１２−１〜１２−ｎと同様に構成するので、その説明は省略する。
次に、図６に示す電流遅延回路７の具体的な構成について、図７（Ａ）〜（Ｄ）を参照して説明する。
図７（Ａ）の電流遅延回路は、図示のようにコンデンサＣ１０からなる。
【００５３】
図７（Ｂ）の電流遅延回路は、図示のように抵抗Ｒ１０とコンデンサＣ１０とを組み合わせたものである。
図７（Ｃ）の電流遅延回路は、図示のように電圧ホロワ回路Ａ２と、コンデンサＣ１０とを組み合わせたものである。
図７（Ｄ）の電流遅延回路は、図示のように電圧ホロワ回路Ａ２と、抵抗Ｒ１０と、コンデンサＣ１０とを組み合わせたものである。
【００５４】
このような電流遅延回路によれば、ＬＥＤ電流設定用電圧選択回路６５から出力される設定電圧を遅延させることができる。
（第３実施形態）
本発明のＬＥＤ駆動装置の第３実施形態の構成について、図８のブロック図を参照して説明する。
【００５５】
この第３実施形態に係るＬＥＤ駆動装置は、液晶表示装置のバックライトなどに使用されるＬＥＤを駆動するものであり、図８に示すように、ＬＥＤ駆動部１と、ＬＥＤ印加電圧発生部２と、ＬＥＤ電流変更信号発生回路５と、ＬＥＤ電流値制御回路６Ａと、電流遅延回路７−１〜７−ｎとを備え、これらは２次電池などの直流電源４により動作するようになっている。
【００５６】
この第３実施形態は、図１に示すような第１実施形態と図４に示すような第２実施形態とを組み合わせて、その両者の利点を活用するようにしたものである。
ＬＥＤ駆動部１およびＬＥＤ印加電圧発生部２の構成は、図１に示すＬＥＤ駆動部１およびＬＥＤ印加電圧発生部２の構成と同様であるので、同一要素には同一符号を付してその説明は省略する。
【００５７】
ＬＥＤ電流変更信号発生回路５は、表示装置の輝度の変更などに応じて入力されるＬＥＤ電流変更信号Ｓｃに基づき、所定の位相差を有する複数のＬＥＤ電流変更信号Ｓ１〜Ｓｎをそれぞれ生成し、これをＬＥＤ電流値制御回路６に供給するようになっている。
ＬＥＤ電流制御回路６は、ＬＥＤ電流変更信号発生回路５で生成されるＬＥＤ電流変更信号Ｓ１〜Ｓｎが入力されるタイミングごとに、入力される同じ設定電流値Ｉａを電流遅延回路７−１〜７−ｎに順次振り分けるようになっている。
【００５８】
ＬＥＤ電流制御回路７−１〜７−ｎは、ＬＥＤ電流制御回路６から異なるタイミングで供給される設定電流Ｉａを対応するＬＥＤ駆動回路１２−１〜１２−ｎにそれぞれ設定するが、その設定の際には、その設定電流Ｉａを時間に対して設定値まで徐々に変化させるようになっている。
次に、このような構成からなる第３実施形態の動作について、図８を参照しながら説明する。
【００５９】
電圧判定回路２３は、直流電源４の電圧を検出してこの検出電圧を基準値と比較し、その検出電圧が基準値以上の場合には、チャージポンプ回路２１の昇圧動作を停止させ、これと同時にスイッチ２２を閉じた状態にする。このため、直流電源４の電圧がＬＥＤ印加電圧発生部２の出力電圧となる。
一方、電圧判定回路２３は、その検出電圧が基準値以下の場合には、チャージポンプ回路２１の昇圧動作を指示し、これと同時にスイッチ２２を開いた状態にする。このため、チャージポンプ回路２１の昇圧電圧がＬＥＤ印加電圧発生部２の出力電圧となる。
【００６０】
ＬＥＤ電流変更信号発生回路５は、ＬＥＤ電流変更信号Ｓｃに基づき位相差の異なる複数のＬＥＤ電流変更信号Ｓ１〜Ｓｎをそれぞれ生成し、これをＬＥＤ電流制御回路６に供給させる。
ＬＥＤ電流制御回路６は、ＬＥＤ電流変更信号発生回路５で生成されるＬＥＤ電流変更信号Ｓ１〜Ｓｎが入力されるタイミングごとに、入力される同じ設定電流値Ｉａを電流遅延回路７−１〜７−ｎに順次振り分ける。
【００６１】
ＬＥＤ電流制御回路７−１〜７−ｎは、ＬＥＤ電流制御回路６から異なるタイミングで供給される設定電流Ｉａを対応するＬＥＤ駆動回路１２−１〜１２−ｎにそれぞれ設定するが、その設定の際には、その設定電流Ｉａを時間に対して設定値まで徐々に変化させるようになっている。
以上のように、この第３実施例では、ＬＥＤ１１−１〜１１−ｎの点灯電流を変化させる際に、その変化を異なるタイミングで順に行うとともに、その各変化を時間に対して徐々に設定値まで変化させるようにしたので、その点灯変化によるちらつきを防止することができる。
【００６２】
このため、この第３実施形態を液晶表示装置のバックライトとして適用する場合には、表示画面のちらつきを防止できる。
次に、上述したＬＥＤ電流値制御回路６、およびＬＥＤ駆動回路１２−１〜１２−ｎの具体的な構成について、図９を参照して説明する。
ＬＥＤ電流値制御回路６は、図９に示すように、ＬＥＤ電流設定用基準電圧源６１と、電圧ホロワ回路６２と、複数のタップを有するタップ付き抵抗器６３と、ＬＥＤ電流設定用電圧選択回路６４と、を備えている。
【００６３】
ＬＥＤ電流設定用基準電圧源６１の基準電圧は、電圧ホロワ回路６２を介してタップ付き抵抗器６３に印加されるようになっている。タップ付き抵抗器６３の各タップ電圧は、ＬＥＤ電流設定用電圧選択回路６４に入力されるようになっている。
ＬＥＤ電流設定用電圧選択回路６４は、ＬＥＤ電流変更信号発生回路５からＬＥＤ電流変更信号Ｓ１〜Ｓｎが入力されるたびに、ＬＥＤ駆動回路１２−１〜１２−ｎに設定すべき設定電流値Ｉａに応じた電圧を、タップ付き抵抗器６３のタップ電圧のうちから選択し、この選択したタップ電圧を設定電圧として電流遅延回路７−１〜７−ｎに順次供給するようになっている。
【００６４】
ＬＥＤ駆動回路１２−１〜１２−ｎは、図３に示すＬＥＤ駆動回路１２−１〜１２−ｎと同様に構成するので、その説明は省略する。また、電流遅延回路７−１〜７−ｎは、図７に示す各回路を使用できる。
【図面の簡単な説明】
【００６５】
【図１】本発明の第１実施形態の構成を示すブロック図である。
【図２】第１実施形態の動作例を説明する各部の波形図である。
【図３】第１実施形態のＬＥＤ電流値制御回路およびＬＥＤ駆動回路の具体的な構成を示す図である。
【図４】本発明の第２実施形態の構成を示すブロック図である。
【図５】第２実施形態の動作例を説明する各部の波形図である。
【図６】第２実施形態のＬＥＤ電流値制御回路およびＬＥＤ駆動回路の具体的な構成を示す図である。
【図７】図６の電流遅延回路の具体的な構成を示す図である。
【図８】本発明の第３実施形態の構成を示すブロック図である。
【図９】第３実施形態のＬＥＤ電流値制御回路およびＬＥＤ駆動回路の具体的な構成を示す図である。
【図１０】本発明に先立って検討された電源装置のブロックである。
【図１１】その電源装置の動作例を説明する各部の波形図である。
【符号の説明】
【００６６】
１・・・ＬＥＤ駆動部、２・・・ＬＥＤ印加電圧発生部、４・・・直流電源、５・・・ＬＥＤ電流変更信号発生回路、６、６Ａ・・・ＬＥＤ電流値制御回路、７、７−１〜７−ｎ・・・電流遅延回路、１１−１〜１１−ｎ・・・ＬＥＤ、１２−１〜１２−ｎ・・・ＬＥＤ駆動回路、２１・・・チャージポンプ回路、２２・・・電圧判定回路。
【図１】
2007180388.tif 000003
【図２】
2007180388.tif 000004
【図３】
2007180388.tif 000005
【図４】
2007180388.tif 000006
【図５】
2007180388.tif 000007
【図６】
2007180388.tif 000008
【図７】
2007180388.tif 000009
【図８】
2007180388.tif 000010
【図９】
2007180388.tif 000011
【図１０】
2007180388.tif 000012
【図１１】
2007180388.tif 000013